(57)【要約】【課題】足袋を型崩れせずに容易に洗濯乾燥することができるようにした足袋洗濯乾燥装置を提供する。【解決手段】洗濯乾燥対象の足袋の形状に合わせて成型された中空の足型部材１０と、この足型部材１０の中空部１２に温風を吹き込むための温風吹込管１３と、台座２０と、この台座２０に設けられ、足型部材１０の温風吹込管１３を差し込むことにより、足型部材１０を台座２０に取り付けるコネクタ２１と、台座２０内に設けられ、コネクタ２１を介して温風吹込管１３に接続されるとともに、温風器４０に接続される温風通路２２とを具備する。【選択図】図１
2014161425.tif 000002
【特許請求の範囲】
【請求項１】
洗濯乾燥対象の足袋の形状に合わせて成型され、前記足袋の筒の開口部に対応する部分が上板で密閉されている中空構造の足型部材と、
前記足型部材の前記上板に設けられ、前記足型部材の中空部に温風を吹き込むための温風吹込管と、
前記上板部に設けられ、前記足型部材を加熱した余分の温風が排出される温風排出孔と、
前記温風吹込管を介して前記足型部材を着脱自在に接続する第１のコネクタを有し、内部に前記第１のコネクタに接続される温風通路を有する台座と、
前記前記温風通路に接続され、該温風通路に温風を吹き込む温風器と、
を具備することを特徴とする足袋洗濯乾燥装置。
【請求項２】
前記温風吹込管は、前記足型部材と一体に成型されることを特徴とする請求項１に記載の足袋洗濯乾燥装置。
【請求項３】
前記温風器は、第２のコネクタを介して前記台座の温風通路に着脱自在に接続されることを特徴とする請求項１または２に記載の足袋洗濯乾燥装置。
【請求項４】
前記足型部材は、
その長手方向の長さを調節する調整手段を有することを特徴とする請求項１乃至３のいずれか１項に記載の足袋洗濯乾燥装置。
【請求項５】
前記足型部材は、前記足袋の内甲表と底との接続部および外甲表と底との接続部の少なくとも一方に対応する箇所に余分の温風を排出する排出孔を有することを特徴とする請求項１乃至４のいずれか１項に記載の足袋洗濯乾燥装置。
【請求項６】
前記第１のコネクタは、前記足型部材の中空部に吹き込む温風の一部を外部に逃がして前記足型部材の中空部に吹き込む温風量を調節する温風量調節機構を有することを特徴とする請求項１乃至５のいずれか１項に記載の足袋洗濯乾燥装置。
【請求項７】
前記足型部材は、金属または耐熱プラスチックで成型されていることを特徴とする請求項１乃至６のいずれか１項に記載の足袋洗濯乾燥装置。
【請求項８】
前記台座は、前記第１のコネクタを少なくとも２つ有し、
前記温風通路は、前記少なくとも２つのコネクタに分岐接続されていることを特徴とする請求項１乃至７のいずれか１項に記載の足袋洗濯乾燥装置。
【請求項９】
前記温風器は、前記台座の内部に設けられることを特徴とする請求項１乃至８のいずれか１項に記載の足袋洗濯乾燥装置。
【発明の詳細な説明】
【技術分野】
【０００１】
本発明は、足袋を型崩れせずに洗濯乾燥することができるようにした足袋洗濯乾燥装置に関する。
【背景技術】
【０００２】
足袋、特に白足袋は汚れが目立つため頻繁に洗濯する必要がある。しかし、足袋の洗濯に際しては、以下の問題があった。
【０００３】
足袋は、伸縮性の少ない厚手の生地から縫製され、人の足に合わせた立体形状をしているため、洗濯した足袋をそのまま乾燥させると、型崩れが生じ、特に、内甲表、外甲表、尻等には、多数の皺がより、これを伸ばす作業は非常に大変で、手間のかかる作業であった。
【０００４】
従来、衣類等を型崩れせずに洗濯する装置としては特許文献１に開示された洗濯方法および洗濯用補助具が知られている。
【先行技術文献】
【特許文献】
【０００５】
【特許文献１】特開平１０−１５１２９２号公報
【発明の概要】
【発明が解決しようとする課題】
【０００６】
しかしながら、上記特許文献１に開示された洗濯方法および洗濯用補助具にあっては、衣類等を型崩れせずに洗濯することを可能にするが、足袋等の洗濯、乾燥に際しては満足すべき結果は得られなかった。
【０００７】
そこで、本発明は、足袋を型崩れせずに容易に洗濯乾燥することができるようにした足袋洗濯乾燥装置を提供することを目的とする。
【課題を解決するための手段】
【０００８】
上記の目的を達成するため、請求項１の発明の足袋洗濯乾燥装置は、洗濯乾燥対象の足袋の形状に合わせて成型され、前記足袋の筒の開口部に対応する部分が上板で密閉されている中空構造の足型部材と、前記足型部材の前記上板に設けられ、前記足型部材の中空部に温風を吹き込むための温風吹込管と、前記上板部に設けられ、前記足型部材を加熱した余分の温風が排出される温風排出孔と、前記温風吹込管を介して前記足型部材を着脱自在に接続する第１のコネクタを有し、内部に前記第１のコネクタに接続される温風通路を有する台座と、前記前記温風通路に接続され、該温風通路に温風を吹き込む温風器と、を具備することを特徴とする。
【０００９】
請求項２の発明は、請求項１の発明の足袋洗濯乾燥装置において、前記温風吹込管は、前記足型部材と一体に成型されることを特徴とする。
【００１０】
請求項３の発明は、請求項１または２に記載の足袋洗濯乾燥装置において、前記温風器は、第２のコネクタを介して前記台座の温風通路に着脱自在に接続されることを特徴とする。
【００１１】
請求項４の発明は、請求項１乃至３のいずれか１項に記載の足袋洗濯乾燥装置において、前記足型部材は、その長手方向の長さを調節する調整手段を有することを特徴とする。
【００１２】
請求項５の発明は、請求項１乃至４のいずれか１項に記載の足袋洗濯乾燥装置において、前記足型部材は、前記足袋の内甲表と底との接続部および外甲表と底との接続部の少なくとも一方に対応する箇所に余分の温風を排出する排出孔を有することを特徴とする。
【００１３】
請求項６の発明は、請求項１乃至５のいずれか１項に記載の足袋洗濯乾燥装置において、前記第１のコネクタは、前記足型部材の中空部に吹き込む温風の一部を外部に逃がして前記足型部材の中空部に吹き込む温風量を調節する温風量調節機構を有することを特徴とする。
【００１４】
請求項７の発明は、請求項１乃至６のいずれか１項に記載の足袋洗濯乾燥装置において、前記足型部材は、金属または耐熱プラスチックで成型されていることを特徴とする。
【００１５】
請求項８の発明は、請求項１乃至７のいずれか１項に記載の足袋洗濯乾燥装置において、前記台座は、前記第１のコネクタを少なくとも２つ有し、前記温風通路は、前記少なくとも２つのコネクタに分岐接続されていることを特徴とする。
【００１６】
請求項９の発明は、請求項１乃至８のいずれか１項に記載の足袋洗濯乾燥装置において、前記温風器は、前記台座の内部に設けられることを特徴とする。
【発明の効果】
【００１７】
本発明の足袋洗濯乾燥装置は、洗濯乾燥対象の足袋の形状に合わせて成型され、前記足袋の筒の開口部に対応する部分が上板で密閉されている中空構造の足型部材と、前記足型部材の前記上板に設けられ、前記足型部材の中空部に温風を吹き込むための温風吹込管と、前記上板部に設けられ、前記足型部材を加熱した余分の温風が排出される温風排出孔と、前記温風吹込管を介して前記足型部材を着脱自在に接続する第１のコネクタを有し、内部に前記第１のコネクタに接続される温風通路を有する台座と、前記前記温風通路に接続され、該温風通路に温風を吹き込む温風器と、を具備して構成されるので、前記足型部材に洗濯対象の足袋を履かせて洗濯した後に、台座に固定して、温風吹込み口から前記足型部材の中空部に温風を吹き込むという非常に簡単な作業で、足袋を、型崩れせず、また、内甲表、外甲表、尻等に皺が生じることなく容易かつ迅速に洗濯乾燥することができるという効果を奏する。
【図面の簡単な説明】
【００１８】
【図１】図１は、本発明に係る足袋洗濯乾燥装置の実施例１を示す側面図および正面図である。
【図２】図２は、図１に示した足型部材の上面図および断面図である。
【図３】図２は、図１に示した足袋洗濯乾燥装置を用いた足袋の洗濯、乾燥方法を説明する図である。
【図４】図４は、図１に示した足型部材の変形例を示す上面図および側面図である。
【図５】図４は、図１に示した足型部材の更に他の変形例を示す側面図である。
【図６】図５は、左右一対の足袋を同時に洗濯、乾燥することを可能にした本発明に係る足袋洗濯乾燥装置の実施例２を示す正面図である。
【図７】図７は、温風器を台座内に設けた本発明に係る足袋洗濯乾燥装置の実施例３を示す正面図である。
【発明を実施するための形態】
【００１９】
以下、本発明を実施するための実施例について、願書に添付した図面を参照しながら詳細に説明する。
【実施例１】
【００２０】
図１は、本発明に係る足袋洗濯乾燥装置の実施例１を示し、図１（Ａ）は、その側面図、図１（Ｂ）はその正面図である。
【００２１】
図１に示す実施例１の足袋洗濯乾燥装置１００は、足型部材１０と、この足型部材１０をコネクタ２１（請求項１の第１のコネクタ）を介して着脱自在に接続する台座２０を具備して構成される。
【００２２】
足型部材１０は、図２（Ａ）に、その上面図、図２（Ｂ）に、その断面図で示すように、図示しない洗濯乾燥対象の足袋の形状に合わせて成型され、その足袋の筒の開口部に対応する部分が上板１１で密閉されている中空構造から構成され、その上板１１には、足型部材１０の中空部１２に温風を吹き込むための温風吹込管１３が植設され、更に、上板１１の他の部分には、足型部材１０を加熱した余分の温風が排出される温風排出孔１４ａ、１４ｂが穿設されている。
【００２３】
この足型部材１０は、例えば、耐熱性を有するとともに、熱伝送性に優れた、鉄、アルミ、ステンレス等の金属から成型することができる。また、安価、軽量に成型するためには、この足型部材１０を耐熱プラスチックで成型することもできる。
【００２４】
ここで、温風吹込管１３は、足型部材１０と同じ材料を用いて、足型部材１０と一体に成型することができる。
【００２５】
台座２０は、この足袋洗濯乾燥装置１００を用いて足袋を乾燥させる際に、足型部材１０を支持するもので、その内部に、上記コネクタ２１に一端が接続される温風通路２２が設けられている。この温風通路２２の他端にはコネクタ２３（請求項３の第２のコネクタ）が設けられており、このコネクタ２３には、この足袋洗濯乾燥装置１００を用いて足袋を乾燥させる際に、図示しない温風器が接続される。
【００２６】
この台座２０は、この足袋洗濯乾燥装置１００を用いた足袋の乾燥の際に、足型部材１０を支持するために用いられるので、その材質は、金属等のある程度の重さを有し、足型部材１０をコネクタ２１に差し込んで取り付けたときに安定して足型部材１０を保持できる形状、大きさに形成される。
【００２７】
また、コネクタ２１は、足型部材１０の温風吹込管１３と台座２０の内部の温風通路２２とを接続するもので、温風通路２２から送られる温風が外部に漏れることを防ぐ周知のシーリング機構を有する継ぎ手を用いることができる。
【００２８】
また、コネクタ２３は、台座２０の内部の温風通路２２と図示しない温風器の温風口とを接続するもので、このコネクタ２３も温風器の温風口から送られる温風が外部に漏れることを防ぐ周知のシーリング機構を有する継ぎ手を用いることができる。
【００２９】
なお、このコネクタ２１およびコネクタ２３の少なくとも一方には、内部の温風の一部を外部に逃がして、足型部材１０の中空部１２に送る温風量を調節する温風量調節機構を設けてもよい。
【００３０】
次に、上記のように構成された足袋洗濯乾燥装置１００を用いた足袋の洗濯、乾燥方法について説明する。
【００３１】
図３は、図１に示した足袋洗濯乾燥装置１００を用いた足袋の洗濯、乾燥方法を説明する図である。
【００３２】
この足袋洗濯乾燥装置１００を用いて洗濯乾燥対象である足袋の洗濯、乾燥を行う場合は、まず、図１に示した足袋洗濯乾燥装置１００の足型部材１０をコネクタ２１部分で台座２０から外し、図３（Ａ）にその上面図、図３（Ｂ）にその側面図で示すように、この足型部材１０に洗濯乾燥対象である足袋３０を履かせる。
【００３３】
この状態で、足袋３０を履かせた足型部材１０を温水等に漬け、洗剤等が付いた図示しないブラシ等を用いて、足袋３０の汚れ部分を落とす洗濯が行われる。この足袋３０の汚れ部分を落とす作業は、足袋３０を足型部材１０に履かせた状態で行われるので、細部の汚れ落としを容易に行うことができる。
【００３４】
この足袋３０の洗濯は、足袋３０の内面を含めた洗濯を可能にするために、図３（Ｂ）に示すように、足袋３０のこはぜ３１を受け糸３２から外した状態で行うのが好ましい。
【００３５】
次に、この洗濯が終了したこの足型部材１０に履かせた足袋３０をすすぐ処理が行われる。なお、このすすぎ処理は、足袋３０を足型部材１０に履かせた状態で行われるので、すすぎ水を足袋３０の内面に行き届かせるために、足袋３０のこはぜ３１を受け糸３２から外した状態で行うのが好ましい。
【００３６】
足型部材１０に履かせた足袋３０の、洗濯、すすぎが終了すると、図３（Ｃ）に示すように、足袋３０のこはぜ３１を受け糸３２に止め、図３（Ｄ）に示すように、この足袋３０が履かせた状態の足型部材１０の温風吹込管１３の先端を台座２０のコネクタ２１に差し込むことにより、足型部材１０を台座２０に取り付ける。
【００３７】
そして、台座２０のコネクタ２３に温風器４０の温風口４１を接続することにより、温風器４０から、温風口４１、コネクタ２３、温風通路２２、コネクタ２１、温風吹込管１３を通って、足型部材１０の中空部１２に温風を吹き込むことにより、足袋３０の乾燥を行う。
【００３８】
ここで、足型部材１０の中空部１２に吹き込まれた温風は、図３（Ｄ）に矢印で示したように流れ、温風排出孔１４ａ、１４ｂから排出されるので、この温風により足型部材１０を均一に加熱することができる。
【００３９】
すなわち、この足袋洗濯乾燥装置によれば、足袋３０を足型部材１０に履かせた状態で足袋３０の乾燥が行われるので、足袋３０の細部に亘って、皺、型崩れか生じることはなく、足袋３０を短時間で乾燥することができる。
【００４０】
なお、上記実施例においては、右側の足袋に対応する足型部材１０を用いて右側の足袋の洗濯、乾燥について説明したが、左側の足袋に対応する足型部材を用いることにより、左側の足袋の洗濯、乾燥も同様に行うことができる。
【００４１】
実施例１の足型部材１０においては、上板１１に温風排出孔１４ａ、１４ｂを設けて、この温風排出孔１４ａ、１４ｂから余分の温風を排出するように構成したが、上板１１の温風排出孔１４ａ、１４ｂに加えて、足袋の内甲表と底との接続部および外甲表と底との接続部の少なくとも一方に対応する箇所に排出孔を設けて、この排出孔からも余分の温風を排出するように構成するようにしてもよい。
【００４２】
この構成によると、上板１１に設けた温風排出孔１４ａ、１４ｂに加えて、足袋の内甲表と底との接続部および外甲表と底との接続部の少なくとも一方に対応する箇所に設けた排出孔からも温風が排出されるので、足袋３０の乾燥を更に有効に行うことができる。
【００４３】
図４は、このように構成された足型部材１０の変形例を示すもので、図４（Ａ）はその上面図、図４（Ｂ）は、その側面図を示す。
【００４４】
すなわち、図４に示す足型部材１０においては、上板１１に設けた温風排出孔１４ａ、１４ｂに加えて、足袋の内甲表と底との接続部および外甲表と底との接続部に温風を排出する長円型の排出孔１５ａ、１５ｂが設けられる。
【００４５】
この構成によると、上記排出孔１５ａ、１５ｂからも足型部材１０の中空部１２に吹き込まれた温風が排出されるので、足型部材１０に履かせた足袋３０の乾燥効果が向上するとともに、足袋の内甲表と底との接続部および外甲表と底との接続部の皺の発生も生じない。
【００４６】
また、実施例１においては、洗濯乾燥対象の足袋３０の形状に合わせて成型された足型部材１０を用いたが、この足型部材１０のつま先部１０−１を、図５に矢印Ｘで示すように、この足型部材１０の長手方向に沿って伸縮自在に調整する調整手段を設けるように構成してもよい。この調整手段としては各種サイズの足袋のサイズに合わせて伸縮、固定可能な、ラチェット形の伸縮調整装置を用いることができる。
【００４７】
このような構成によると、１つの足型部材１０で各種サイズの足袋３０の洗濯、乾燥が可能になる。
【実施例２】
【００４８】
図６は、本発明に係る足袋洗濯乾燥装置の実施例２を示す正面図である。
【００４９】
実施例１の足袋洗濯乾燥装置１０においては、１つの足袋３０を洗濯、乾燥可能な構成を示したが、足袋３０は、左右１対の足袋からなるので、１対の足袋が同時に洗濯、乾燥できるのが好ましい。
【００５０】
そこで、図６に示す実施例２の足袋洗濯乾燥装置２００においては、左右１対の足袋が同時に洗濯、乾燥できる構成を提供する。
【００５１】
すなわち、図６に示す実施例２の足袋洗濯乾燥装置２００は、洗濯乾燥対象の左側の足袋の形状に合わせて成型された中空の足型部材１０ａと、洗濯乾燥対象の右側足袋の形状に合わせて成型された中空の足型部材１０ｂと、この足型部材１０ａと一体に形成され、この足型部材１０ａ中空部に温風を吹き込むための温風吹込管口１３ａと、この足型部材１０ｂと一体に形成され、この足型部材１０ｂの中空部に温風を吹き込むための温風吹込管１３ｂと、台座２０と、この台座２０に設けられ、足型部材１０ａの温風吹込口１３ａを差し込むことにより、足型部材１０ａを台座２０に取り付けるコネクタ２１ａと、この台座３０に設けられ、足型部材１０ｂの温風吹込管１３ｂを差し込むことにより、足型部材１０ｂを台座２０に取り付けるコネクタ２１ｂとが設けられる。
【００５２】
台座３０内には、コネクタ２１ａを介して温風吹込管１３ａに接続されるとともに、コネクタ２１ｂを介して温風吹込管１３ｂに接続され、さらに、コネクタ２３に接続される温風通路２２が設けられる。
【００５３】
そして、コネクタ２３には、この足袋洗濯乾燥装置２００を用いた洗濯乾燥対象である足袋を乾燥するときに、温風器４０の温風口４１が接続される。
【００５４】
その他の構成は、図１乃至図５で説明した実施例１の足袋洗濯乾燥装置１００と同様である。
【実施例３】
【００５５】
図７は、本発明に係る足袋洗濯乾燥装置の実施例３を示す正面図である。
【００５６】
実施例１および実施例２においては、足型部材１０の中空部に吹き込む温風を発生する温風器４０を台座２０の外部に設けたが、図７に示す実施例３の足袋洗濯乾燥装置３００においては、この温風器４０を台座２０内に設けている。その他の構成は、図６に示した実施例２の足袋洗濯乾燥装置２００と同様である。
【００５７】
すなわち、図７に示す実施例３の足袋洗濯乾燥装置２００は、洗濯乾燥対象の左側の足袋の形状に合わせて成型された中空の足型部材１０ａと、洗濯乾燥対象の右側足袋の形状に合わせて成型された中空の足型部材１０ｂと、この足型部材１０ａと一体に形成され、この足型部材１０ａ中空部に温風を吹き込むための温風吹込管口１３ａと、この足型部材１０ｂと一体に形成され、この足型部材１０ｂの中空部に温風を吹き込むための温風吹込管１３ｂと、台座２０と、この台座２０に設けられ、足型部材１０ａの温風吹込口１３ａを差し込むことにより、足型部材１０ａを台座２０に取り付けるコネクタ２１ａと、この台座３０に設けられ、足型部材１０ｂの温風吹込管１３ｂを差し込むことにより、足型部材１０ｂを台座２０に取り付けるコネクタ２１ｂとが設けられる。
【００５８】
台座２０内には、コネクタ２１ａを介して温風吹込管１３ａに接続されるとともに、コネクタ２１ｂを介して温風吹込管１３ｂに接続される温風通路２２が設けられ、また、この台座２０内には、温風通路２２に温風を送る温風器４０が設けられる。
【００５９】
なお、本発明は上述の実施形態に限定されるものではなく、本発明の技術的思想の範囲内であれば、当業者の通常の創作能力によって多くの変形が可能である。
【符号の説明】
【００６０】
１０、１０ａ、１０ｂ…足型部材
１０−１…つま先部
１１…上板
１２…中空部
１３、１３ａ、１３ｂ…温風吹込管
１４ａ、１４ｂ…温風排出孔
１５ａ、１５ｂ…排出孔
２０…台座
２１ａ、２１ｂ…コネクタ（第１のコネクタ）
２２…温風通路
２３…コネクタ（第２のコネクタ）
４０…温風器
４１…温風口
【図１】
2014161425.tif 000003
【図２】
2014161425.tif 000004
【図３】
2014161425.tif 000005
【図４】
2014161425.tif 000006
【図５】
2014161425.tif 000007
【図６】
2014161425.tif 000008
【図７】
2014161425.tif 000009